(57)【要約】【課題】折り畳んだ際に折り畳み状態を容易に維持可能な折り畳みシートを提供する。【解決手段】シート部材１０の幅方向に沿った第１の折り目１と、長さ方向に沿った第２の折り目２ａ〜２ｅと、第１の折り目及び前記第２の折り目で区分された領域３ａ〜３ｌと、領域３ａに設けられた主挿入片４と、領域３ａの幅方向に隣接する領域３ｃに設けられたスリット５と、を備え、第１の折り目１に従って折り畳まれ、更に、スリット５が設けられている面を基準として第２の折り目２ａに従って山折りされ、且つ、第２の折り目２ｂに従って山折りされ、第２の折り目２ｃ〜２ｅに従って交互に折られて、領域３ａと領域３ｃとが最外側になるように折り畳まれ、主挿入片４がスリット５に挿入される折り畳みシート。【選択図】図１
0003178430.tif 000002
【実用新案登録請求の範囲】
【請求項１】
シート部材を折り畳んだ折り畳みシートであって、
前記シート部材は、
前記シート部材の幅方向に沿った第１の折り目と、
前記シート部材の長さ方向に沿った２つ以上の第２の折り目と、
前記第１の折り目及び前記第２の折り目で区分された複数の領域と、
前記シート部材の幅方向最端に位置する前記領域のうち少なくとも一つの前記領域の前記シート部材の長さ方向に沿った縁辺に設けられた主挿入片と、
前記主挿入片を備えた前記領域の幅方向に隣接する前記領域に設けられたスリットと、
を備え、
前記シート部材は、前記第１の折り目に従って折り畳まれ、更に、前記スリットが設けられている面を基準として前記主挿入片が設けられている側から１番目に位置する第２の折り目に従って山折りされ、且つ、前記主挿入片が設けられている側から２番目に位置する第２の折り目に従って山折りされ、
前記第２の折り目を３つ以上有する場合には、前記主挿入片が設けられている側から３番目以降に位置する第２の折り目に従って交互に折られて、前記主挿入片が設けられた前記領域と前記スリットが設けられた領域とが最外側になるように折り畳まれ、前記主挿入片が前記スリットに挿入される折り畳みシート。
【請求項２】
前記第２の折り目を３つ以上有する場合に、前記シート部材の前記主挿入片が設けられている側から３番目以降に位置する第２の折り目に従って谷折り及び山折りの順に交互に折り畳まれる請求項１に記載の折り畳みシート。
【請求項３】
前記シート部材は、前記主挿入片が設けられている前記領域以外の前記領域であって、且つ、前記シート部材の幅方向最端に位置する前記領域の前記シート部材の長さ方向に沿った縁辺に設けられた補助挿入片を備え、且つ、前記補助挿入片は、前記シート部材が折り畳まれた際に前記スリットに挿入される請求項１又は２に記載の折り畳みシート。
【請求項４】
前記補助挿入片が、前記主挿入片が設けられている前記領域と対角上に位置する前記領域の前記シート部材の長さ方向に沿った縁辺に設けられる請求項３に記載の折り畳みシート。
【請求項５】
前記シート部材が折り畳まれた際に、少なくとも前記主挿入片の一部と少なくとも前記補助挿入片の一部とが重なって前記スリットに挿入される請求項３又は４に記載の折り畳みシート。
【請求項６】
前記シート部材が矩形状である請求項１〜５のいずれか１項に記載の折り畳みシート。
【請求項７】
前記シート部材が、前記第１の折り目に対して線対称な形状である請求項１〜６のいずれか１項に記載の折り畳みシート。
【請求項８】
前記複数の領域が、全て同一の形状である請求項１〜７のいずれか１項に記載の折り畳みシート。
【請求項９】
前記スリットの両端が曲線状である請求項１〜８のいずれか１項に記載の折り畳み
シート。
【請求項１０】
前記シート部材は、一の面において前記複数の領域に表示される情報のうち少なくとも一つの前記領域に表示される情報が他の前記領域に表示される情報と、上下関係が異なる請求項１〜９のいずれか１項に記載の折り畳みシート。
【考案の詳細な説明】
【技術分野】
【０００１】
本考案は、コンパクトな形状に折り畳むことが可能な折り畳みシートに関する。
【背景技術】
【０００２】
従来、地図や広告等の情報が記載された一枚の矩形状のシートを折り畳んでコンパクトな形状にすることが可能な折りたたみ式のシートが用いられており、種々の折り畳み方式が提案されている（例えば、下記特許文献１〜３参照）。
【先行技術文献】
【特許文献】
【０００３】
【特許文献１】特開平８−４４２９３号公報
【特許文献２】特開２０１０−１３７５３２号公報
【特許文献３】登録実用新案３１５５３８４号公報
【考案の概要】
【考案が解決しようとする課題】
【０００４】
折り畳み式のシートは折り畳まれた後、ユーザーの意思に応じて折り畳み状態が解除され、シートが展開されることが好ましい。しかし、シートの折り畳み方式によっては、使用者の意図しない状況下で折り畳み状態が解除されてしまったり、展開に手間取る場合もある。このため、簡便な機構を有しながら、陳列時や携帯時など折り畳まれた状態を維持することが望まれる場合には、折り畳み状態を容易に維持できるともに、容易に展開可能な折り畳み式のシートの開発が望まれている。
【０００５】
本考案は、折り畳んだ際に折り畳み状態を容易に維持可能な折り畳みシートを提供することを目的とする。
【課題を解決するための手段】
【０００６】
［１］シート部材を折り畳んだ折り畳みシートであって、前記シート部材は、前記シート部材の幅方向に沿った第１の折り目と、前記シート部材の長さ方向に沿った２つ以上の第２の折り目と、前記第１の折り目及び前記第２の折り目で区分された複数の領域と、前記シート部材の幅方向最端に位置する前記領域のうち少なくとも一つの前記領域の前記シート部材の長さ方向に沿った縁辺に設けられた主挿入片と、前記主挿入片を備えた前記領域の幅方向に隣接する前記領域に設けられたスリットと、を備え、前記シート部材は、前記第１の折り目に従って折り畳まれ、更に、前記スリットが設けられている面を基準として前記主挿入片が設けられている側から１番目に位置する第２の折り目に従って山折りされ、且つ、前記主挿入片が設けられている側から２番目に位置する第２の折り目に従って山折りされ、前記第２の折り目を３つ以上有する場合には、前記主挿入片が設けられている側から３番目以降に位置する第２の折り目に従って交互に折られて、前記主挿入片が設けられた前記領域と前記スリットが設けられた領域とが最外側になるように折り畳まれ、前記主挿入片が前記スリットに挿入される折り畳みシート。
【０００７】
［２］前記第２の折り目を３つ以上有する場合に、前記シート部材の前記主挿入片が設けられている側から３番目以降に位置する第２の折り目に従って谷折り及び山折りの順に交互に折り畳まれる［１］に記載の折り畳みシート。
【０００８】
［３］前記シート部材は、前記主挿入片が設けられている前記領域以外の前記領域であって、且つ、前記シート部材の幅方向最端に位置する前記領域の前記シート部材の長さ方向に沿った縁辺に設けられた補助挿入片を備え、且つ、前記補助挿入片は、前記シート部材が折り畳まれた際に前記スリットに挿入される［１］又は［２］に記載の折り畳みシート。
【０００９】
［４］前記補助挿入片が、前記主挿入片が設けられている前記領域と対角上に位置する前記領域の前記シート部材の長さ方向に沿った縁辺に設けられる［３］に記載の折り畳みシート。
【００１０】
［５］前記シート部材が折り畳まれた際に、少なくとも前記主挿入片の一部と少なくとも前記補助挿入片の一部とが重なって前記スリットに挿入される［３］又は［４］に記載の折り畳みシート。
【００１１】
［６］前記シート部材が矩形状である［１］〜［５］のいずれか１項に記載の折り畳みシート。
【００１２】
［７］前記シート部材が、前記第１の折り目に対して線対称な形状である［１］〜［６］のいずれか１項に記載の折り畳みシート。
【００１３】
［８］前記複数の領域が、全て同一の形状である［１］〜［７］のいずれか１項に記載の折り畳みシート。
【００１４】
［９］前記スリットの両端が曲線状である［１］〜［８］のいずれか１項に記載の折り畳みシート。
【００１５】
［１０］前記シート部材は、一の面において前記複数の領域に表示される情報のうち少なくとも一つの前記領域に表示される情報が他の前記領域に表示される情報と、上下関係が異なる［１］〜［９］のいずれか１項に記載の折り畳みシート。
【考案の効果】
【００１６】
本考案によれば、折り畳んだ際に折り畳み状態を容易に維持可能な折り畳みシートを提供することができる。
【図面の簡単な説明】
【００１７】
【図１】第１の実施形態の折り畳みシートの展開状態を示した説明図である。
【図２】第１の実施形態におけるシート部材を第１の折り目に従って折り畳んだ状態を示す説明図である。
【図３】第１の実施形態におけるシート部材を第２の折り目にまで従って折り畳んだ状態を示す説明図である。
【図４】第１の実施形態におけるシート部材を折り畳んだ状態を示す説明図である。
【図５】（Ａ）は、第１の実施形態の折り畳みシートの折り畳み状態を領域３ａ側から観察した状態を示す説明図であり、（Ｂ）は第１の実施形態の折り畳みシートの折り畳み状態を領域３ｃ側から観察した状態を示す説明図である。
【図６】第１の実施形態の折り畳みシートの内面に表示される情報の位置関係を示す説明図である。
【図７】第１の実施形態の折り畳みシートの外面に表示される情報を示す説明図である。
【図８】第２の実施形態の折り畳みシートの展開状態を示した説明図である。
【図９】第２の実施形態におけるシート部材を第２の折り目にまで従って折り畳んだ状態を示す説明図である。
【図１０】第２の実施形態におけるシート部材を折り畳んだ状態を示す説明図である。
【図１１】第２の実施形態の折り畳みシートの折り畳み状態を示す説明図である。
【図１２】第３の実施形態におけるシート部材を折り畳んだ状態を示す説明図である。
【図１３】第３の実施形態の折り畳みシートの折り畳み状態を示す説明図である。
【図１４】第３の実施形態の別の態様の折り畳みシートの折り畳み状態を示す説明図である。
【図１５】第４の実施形態の折り畳みシートの折り畳み状態を示す説明図である。
【考案を実施するための形態】
【００１８】
以下に記載する構成要件の説明は、本考案の代表的な実施形態に基づいてなされることがあるが、本考案はそのような実施形態に限定されるものではない。
【００１９】
本考案の折り畳みシートは、シート部材を折り畳んだ折り畳みシートであって、前記シート部材は、前記シート部材の幅方向に沿った第１の折り目と、前記シート部材の長さ方向に沿った２つ以上の第２の折り目と、前記第１の折り目及び前記第２の折り目で区分された複数の領域と、前記シート部材の幅方向最端に位置する前記領域のうち少なくとも一つの前記領域の前記シート部材の長さ方向に沿った縁辺に設けられた主挿入片と、前記主挿入片を備えた前記領域の幅方向に隣接する前記領域に設けられたスリットと、を備え、前記シート部材は、前記第１の折り目に従って折り畳まれ、更に、前記スリットが設けられている面を基準として前記主挿入片が設けられている側から１番目に位置する第２の折り目に従って山折りされ、且つ、前記主挿入片が設けられている側から２番目に位置する第２の折り目に従って山折りされ、更に、前記第２の折り目を３つ以上有する場合には、前記主挿入片が設けられている側から３番目以降に位置する第２の折り目に従って交互に折られて、前記主挿入片が設けられた前記領域と前記スリットが設けられた領域とが最外側になるように折り畳まれ、前記主挿入片が前記スリットに挿入される。
【００２０】
また、折り畳みシートは、シートの裏表に表示された情報をユーザーが読みやすいように、工夫されていることが好ましい。
【００２１】
本考案の折り畳みシートは、前記シート部材を第１の折り目に従って折り畳み、前記スリットが設けられている面を基準として前記主挿入片が設けられている側から１番目に位置する第２の折り目に従って山折りし、前記主挿入片が設けられている側から２番目に位置する第２の折り目に従って山折りする。更に、前記第２の折り目を３つ以上有する場合には、前記主挿入片が設けられている側から３番目以降に位置する第２の折り目に従って交互に折り、前記主挿入片が設けられた前記領域と前記スリットが設けられた領域とが最外側になるように折り畳まれる。本考案の折り畳みシートは、前記シート部材がこのように折り畳まれた状態で、前記主挿入片が前記スリットに挿入される。これにより、折り畳み状態を容易に維持することができる。
【００２２】
前記第１の折り目はシート部材の幅方向に沿って設けられる唯一の折り目であればその位置は特に限定はないが、前記シート部材が前記第１の折り目によって１／２に分割されるように、第１の折り目を形成することが好ましい。この場合、前記シート部材は、前記第１の折り目に対して線対称な形状とすることができる。
【００２３】
本考案の折り畳みシートにおいて前記第２の折り目は、２つ以上であれば特に制限はないが、例えば、前記第２の折り目で区分される幅方向の領域が（４＋２ｎ）列（ｎ＝０，１，２…）となるように設けられることが好ましい。例えば、シート部材が、幅方向に
６列×長さ方向に２行の１２の領域に区分される場合には、前記領域は幅方向に５つの第２の折り目によって区分されることとなる。
【００２４】
また、前記シート部材が、第２の折り目を３つ以上有する場合には、第１の折り目及び前記主挿入片が設けられている側から１番目及び２番目に位置する第２の折り目に従って折り畳まれた後、前記シート部材の前記主挿入片が設けられている側から３番目以降に位置する第２の折り目に従って谷折り及び山折りの順に交互に折り畳まれることが好ましい。
【００２５】
前記シート部材は、第１の折り目と複数の第２の折り目とに区分された複数の領域を有する。これら領域のうち、シート部材の幅方向最端に位置するもののうち少なくとも一つの領域には、シート部材の長さ方向に沿った縁辺に主挿入片が設けられる。また、この主挿入片が設けられた領域と幅方向に隣接する領域には前記主挿入片が挿入されるスリットが設けられる。
【００２６】
前記複数の領域の形状は特に限定はないが、第１及び第２の折り目によって矩形状に区分されることが好ましい。また、前記複数の領域は同一形状であることが好ましい。更に、前記複数の領域は、同一面積であることが好ましい。
【００２７】
前記主挿入片の形状は、スリットに挿入可能で且つシート部材が折り畳まれた際にその折り畳み状態を維持できる程度の長さを有するものであれば特に形状は限定されない。矩形状であってもよいし、各角が曲線状であってもよいし、半円形であってもよいし、四角形以外の多角形であってもよい。
【００２８】
前記スリットの形状も、前記主挿入片を挿入できるものであれば特にその形状は限定されない。単なる直線状（矩形状）であってもよいし、スリットの両端が曲線状になっていてもよいし、端部からシートが裂けるのを防止するために予め端部に丸い打ち抜きが形成されていてもよい。更に、波状、ハート状などその形状は特に限定されない。
【００２９】
前記シート部材は、主挿入片以外にシート部材の縁辺に一つ又は複数の補助挿入片を備えていてもよい。前記補助挿入片は、前記シート部材が折り畳まれた際に、前記主挿入片と共に、又は、独立してスリットに挿入されることが好ましい。前記スリットは、主挿入片用のスリットの他に前記補助挿入片用のスリットを別途設けてもよい。前記補助挿入片が設けられている領域は特に限定はないが、前記主挿入片が設けられている前記領域以外の前記領域であって且つ前記シート部材の幅方向最端に位置する前記領域の前記シート部材の長さ方向に沿った縁辺に設けることができる。当該位置に補助挿入片を用いるとシート部材を折り畳んだ際に、主挿入片を挿入するスリットに補助挿入片を挿入することができる。例えば、前記補助挿入片を、前記主挿入片が設けられている前記領域と対角上に位置する前記領域の前記シート部材の長さ方向に沿った縁辺に設けることができる。
【００３０】
前記補助挿入片が主挿入片と共に前記スリットに挿入される際、少なくとも前記主挿入片の一部と少なくとも前記補助挿入片の一部とが重なるように前記主挿入片が備えられる位置と補助挿入片が備えられる位置を決定することができる。また、前記主挿入片と補助挿入片とが全く重ならないように両者の位置を決めることができる。この場合、同一のスリットに両挿入片を挿入してもよいし、主挿入片用のスリットと補助挿入片用のスリットを別途設け、各々独立にスリットに挿入してもよい。
【００３１】
また、前記シート部材はシート状であれば特にその形状に限定はなく、多角形や円形など適宜選定することができ、中でも矩形状であることが好ましい。また、前記シート部材は、折り畳み状態の形状の観点から、上述のように前記第１の折り目に対して線対称である形状が好ましい。また、前記第１及び複数の第２の折り目によって区分されるシート部材上の領域が同一の形状・面積であることが好ましい。
【００３２】
また、前記シート部材には一の面及び他の面にそれぞれ情報が表示されていることが好ましい。前記情報としては特に限定はなく、例えば、マニュアル、手順、指針、方法、有用情報、広告、地図情報など各種情報を表示させることができる。また、例えば、一の面において一面に地図情報など同一の情報を表示してもよいし、各領域毎に異なる情報を表示してもよい。更には、第１の折り目で区分されるように、２つ以上の情報を区分して表示してもよい。この際、例えば、一の面において前記複数の領域に表示される情報のうち少なくとも一つの前記領域に表示される情報が他の前記領域に表示される情報と、上下関係が異なるように表示させてもよい。
【００３３】
以下に、本考案の折り畳みシートについて、図を用いて説明する。各図において、共通の部材及び部位には同様の符号を付し、その説明を省略する。本考案において「長さ方向」とは、シート部材上における任意の方向を意味する。また、「幅方向」とは、前記長さ方向と直交する方向を意味する。各図においては、紙面上下方向がシート部材の長さ方向と一致し、紙面左右方向がシート部材の幅方向と一致する。また、以下において単に「長さ方向」「幅方向」と称した場合には、各シート部材の長さ方向及び幅方向を意味する。
【００３４】
（第１の実施形態）
本考案の折り畳みシートについて、矩形状（長方形）のシート部材を用いた第１の実施形態について説明する。第１の実施形態において、前記シート部材の「長さ方向」は、矩形状のシート部材を構成する一辺と平行な任意の方向と一致する。また、第１の実施形態において「幅方向」は、前記長さ方向と直交し、且つ、矩形状のシート部材を構成する一辺と平行な方向と一致する。但し、前記長さ方向と前記幅方向とはシート部材の一辺と厳密に平行であることを要するものではない。
【００３５】
まず、本考案の折り畳みシートについて、これを広げた（展開した）状態について説明する。図１は、第１の実施形態の折り畳みシートの展開状態を示した説明図である。また、図１はシート部材を一の側の面から見た説明図であり、以下、シート部材の一の側の面を、「内面」と称し、その裏側の面を「外面」と称する場合がある。
【００３６】
図１に示すように、第１の実施形態の折り畳みシートは矩形状のシート部材１０によって構成されており、シート部材１０には、第１の折り目１と、５本の第２の折り目２ａ〜２ｅと、主挿入片４と、スリット５と、が形成されている。図１において第１及び第２の折り目については、破線が山折りを示し、一点鎖線が谷折りを示す。
【００３７】
本考案において、シート部材１０の形状は、シート状であり折り曲げることが可能であれば、そのサイズや厚さは特に限定されず、所望の目的に応じて適宜選定することができる。例えば観光ガイド等の用途であれば、シート部材１０のサイズは通常Ａ１〜Ｂ５サイズ（折り畳み状態において通常Ａ４〜Ｂ８サイズ）であり、Ａ２〜Ａ４サイズ（折り畳み状態において通常Ａ５〜Ａ７サイズ）が好適である。また、シート部材１０の厚さは通常６０〜２００μｍであり、８０〜１５０μｍが好ましく、９５〜１３０μｍが更に好ましい。シート部材１０の材質も特に限定はなく、例えば、紙やプラスティックフィルム等公知のシート状材料を適宜選定することができる。第１の実施形態においては、シート部材１０として矩形状の部材が用いられる。ここで、「矩形状」とは、完全な矩形のみならず、適宜所望に応じて端部等に設けられた切り欠け等を有する矩形をも含む概念である。また、四隅に９０°の角を有する必要はなく、例えば四隅が半円状にカットされた形状であってもよい。シート部材１０は、（略）矩形であれば、図１に示すように長方形であってもよいし、正方形であってもよい。また、シート部材１０は、長さ方向に長尺であってもよいし、幅方向に長尺であってもよい。
【００３８】
第１の折り目１は、シート部材１０に形成される幅方向（紙面左右方向）に沿った折り目である。図１において、第１の折り目１は、シート部材１０の一方の端部（図１における紙面上側の端部）から、長さ方向１／２の位置に配置されている。第１の実施形態において第１の折り目１は、シート部材１０の長さ方向１／２の位置におおよそ配置されていればよく、厳密に設けられることまでも要求するものではない。第１の折り目１は、これに従ってシート部材１０が山折りに折り畳まれるように構成されている。
【００３９】
第２の折り目２ａ〜２ｅは、シート部材１０に形成される長さ方向（紙面上下方向）に沿った折り目である。図１において、挿入片４が設けられている側から１番目に位置する第２の折り目から順に第２折り目２ａ〜２ｅと称する。図１では、第２の折り目２は、シート部材１０を幅方向に６つに分割するように５本設けられている。本考案において第２の折り目２ａ〜２ｅは、シート部材１０を幅方向に６分割する位置にそれぞれがおおよそ配置されていればよく、厳密に設けられることまでも要求するものではない。また、第２の折り目２ａ〜２ｅは第１の折り目１と直交している。
【００４０】
また、図１に示すように、シート部材１０は、内面側から観察した際に第１及び第２の折り目によって、１２つの領域（３ａ〜３ｌ）に区分されている。
【００４１】
シート部材１０の幅方向最端に位置する領域３ａの長さ方向に沿った縁辺には主挿入片４が設けられている。主挿入片４は、シート部材１０の折り畳み状態を維持する働きの他、折り畳みシートを折り畳み状態から展開するためのガイドとしても使用することができる。主挿入片４は、シート部材１０とは別に形成してそれを接着等してもよいし、シート部材１０を打ち抜き等で形成加工する際に、同時に形成してもよい。
【００４２】
また、領域３ａの幅方向に隣接する領域３ｃには、スリット５が設けられている。本考案において「スリット」とは、切れ込みを意味するが、その切れ込み幅や形状については特に限定はない。また、図１５に示すように、スリット両端にパンチホールを設けて引き裂けにくくしてもよい。ここでは、スリット５は、主挿入片４が挿入できる程度に長さ方向に切り込みが入れられている。また、スリット５の両端は、曲線状となっている。このようにスリット５の両端を曲線状とすると、挿入片４を挿入しやすく、また、スリット端部において裂けにくくなる。また、スリット５は、やや領域３ｃの領域３ａとは逆側（領域３ｅ側）に位置するように設けられる。これは、挿入片４が、領域３ｅ側からスリット５に挿入されるためである。
【００４３】
次に図２〜５を用いて、第１の実施形態の折り畳みシートを展開状態から折り畳み状態とするための手順について説明する。図２は、第１の実施形態におけるシート部材を第１の折り目に従って折り畳んだ状態を示す説明図である。図３は、第１の実施形態におけるシート部材を第２の折り目にまで従って折り畳んだ状態を示す説明図である。図４は、第１の実施形態におけるシート部材を折り畳んだ状態を示す説明図である。図５は、（Ａ）は、第１の実施形態の折り畳みシートの折り畳み状態を領域３ａ側から観察した状態を示す説明図であり、（Ｂ）は第１の実施形態の折り畳みシートの折り畳み状態を領域３ｃ側から観察した状態を示す説明図である。
【００４４】
まず、図１に示すシート部材１０を、図２に示すように、第１の折り目１に従って山折りに折り畳む。次いで、図３に示すようにシート部材１０を、第２の折り目２ａに従って山折りし、第２の折り目２ｂに従って山折りする。本考案においては、このように第１の折り目を山折りにし、第２の折り目２ａ（挿入片が設けられている側から１番目に位置する第２の折り目）に従って山折りし、第２の折り目２ｂ（挿入片が設けられている側から２番目に位置する第２の折り目）に従って山折りするまでが必須となる。第１の実施形態においては、更に、第２の折り目２ｃに従って谷折り、第２の折り目２ｄに従って山折り、第２の折り目２ｅに従って谷折りにシート部材１０を折り畳む。即ち、第１の実施形態においてシート部材１０は、主挿入片４が設けられている側から３番目以降に位置する第２の折り目に従って谷折り山折りの順に交互に折り畳まれる。このようにシート部材１０を３番目以降に位置する第２の折り目に従って谷折り山折りの順に交互に折り畳むと、挿入片４をスリット５から外してシート部材１０を展開しやすい。
【００４５】
次いで、図４に示すようにシート部材１０は、主挿入片４が設けられた領域３ａとスリット５が設けられた領域３ｃとが最外側になるように折り畳まれる。次いで、図４中の点線の矢印に従って主挿入片４を折りこみスリット５に挿入することで、シート部材１０を図５（Ａ）及び（Ｂ）に示されるような完全な折り畳み状態とすることができる。折り畳み状態のシート部材１０（折り畳みシート）は、主挿入片４によって係止されているため、折り畳み状態を容易に維持することができる。
【００４６】
尚、第１の実施形態においては、図３に示すように第２の折り目２ｃ〜２ｅを谷折り山折りの順に交互に折り畳む構成としたが、本考案はこれに限定されるものではなく、第２の折り目２ｃ〜２ｅに従ってシート部材１０を山折り谷折りの順に交互に折り畳むように構成してもよい。
【００４７】
シート部材１０に印刷される情報について、更に図６及び図７を加えて説明する。図６は、第１の実施形態の折り畳みシートの内面に表示される情報の位置関係を示す説明図である。図７は、第１の実施形態の折り畳みシートの外面に表示される情報を示す説明図である。ここでは、図６に示すように内面の領域３ａに表紙情報を印刷し、領域３ｃ〜３ｋに一連の情報を印刷し、領域３ｂ〜３ｌに他の一連の情報を印刷することができる。ここで、領域３ｃ〜３ｋに印刷された一連の情報と、領域３ｂ〜３ｌに印刷された一連の情報とは、図３の３ｃに示す文字と同じ向き（紙面上下方向）で印刷されている。これに対し、領域３ａに印刷されている表紙情報は、他の領域に印刷されている情報と上下関係が逆になるように印刷されている。このように、領域３ａの印刷情報を他の領域に印刷されている情報と上下関係を逆にすると、シート部材１０を第１の折り目１に従って折り畳んだ際に、領域３ｂ〜３ｌの情報の上下関係と領域３ａの上下関係とを同一にすることができる。図７に示すように、シート部材１０の外面には一面を使用して情報（例えば避難地図情報等）が印刷されている。図７は、図６の上辺と下辺がそれぞれ図７の下辺と上辺に対応するように裏返した状態を湿している。
【００４８】
第１の実施形態のシート部材１０は、例えば図５（Ｂ）に示される完全な折り畳み状態から展開する際、まず、主挿入片４をスリット５から引き抜き、幅方向に展開させることができる。これによって、この状態でまず、領域３ｂ〜３ｌに印刷された情報を視認することができる。次いで、水平軸（幅方向と同方向の軸）を中心に１８０°シート部材１０を回転させることで、領域３ｃ〜３ｋに印刷された情報を視認ことができる。その後、シート部材１０を長さ方向に展開し完全にシート部材を展開状態とすることで、外面に印刷された情報を視認することができる。このように、折り畳みシートの折り畳み状態と幅方向に展開した状態と、完全に展開した状態とで視認できる情報を分けることができ、例えば地図のように利便性の観点からある程度広い面積に印刷されることが好ましい情報を外面の一面に印刷し、表紙や裏表紙、又は、地域情報や時刻表など折り畳みシートがコンパクトな状態である際に確認したい情報等をシート部材の内面に印刷することで、折り畳みシートの利便性を向上させることができる。
【００４９】
尚、上記ではシート部材１０を幅方向に展開させた後、水平軸に従って１８０°回転させて他の情報を視認する態様としたが、本考案はこれに限定されるものではなく、鉛直方向（長さ方向と同方向の軸）を中心に１８０°回転させる構成としてもよい。この場合、領域３ｂ〜３ｌに印刷される情報と領域３ａ〜３ｋに印刷される情報とはその上下関係が逆になるように印刷すれば、鉛直情報を中心に１８０°回転させても情報の上下向きが同様となる。
【００５０】
（第２の実施形態）
次に、本考案の折り畳みシートの他の形態について図８〜１１を用いて説明する。図８は、第２の実施形態の折り畳みシートの展開状態を示した説明図である。図９は、第２の実施形態におけるシート部材を第２の折り目にまで従って折り畳んだ状態を示す説明図である。図１０は、第２の実施形態におけるシート部材を折り畳んだ状態を示す説明図である。図１１は、第２の実施形態の折り畳みシートの折り畳み状態を示す説明図である。第２の実施形態において、折り畳みシートは、主挿入片に加えて補助挿入片を備えている。
【００５１】
図８に示すように、シート部材２０は、領域３ａに設けられた主挿入片６に加えて、領域３ａと対角上に位置する領域３ｌの幅方向に沿った縁片には、補助挿入片７が設けられている。即ち、シート部材２０には、挿入片が２つ設けられている。このように挿入片が２つ設けられていると、折り畳み状態のシート部材を展開する際に、挿入片をガイドとして用いることができ、シート部材の展開作業をより容易に行うことができる。
【００５２】
第２の実施形態の折り畳みシート２０を展開状態から折り畳み状態とするための手順について説明する。まず、図８に示すシート部材２０を、図９に示すように、第１の折り目１に従って山折りに折り畳む。次いで、図９に示すようにシート部材２０を、第２の折り目２ａに従って山折りし、第２の折り目２ｂに従って山折りする。更に、シート部材２０を、第２の折り目２ｃに従って谷折り、第２の折り目２ｄに従って山折り、第２の折り目２ｅに従って谷折りにシート部材２０を折り畳む。
【００５３】
次いで、図１０に示すようにシート部材２０は、主挿入片６設けられた領域３ａとスリット５が設けられた領域３ｃとが最外側になるように折り畳まれる。この際、補助挿入片７が設けられた領域３ｌは、領域３ａよりも一枚内側に位置している。また、主挿入片６と補助挿入片７とは、シート部材２０を折り畳んだ際に、それぞれが一部重なるように構成されている。次いで、主挿入片６及び補助挿入片７を折りこみスリット５に挿入することで、シート部材２０を図１１に示されるような完全な折り畳み状態とすることができる。折り畳み状態のシート部材２０（折り畳みシート）は、主挿入片６及び補助挿入片７によって係止されているため、折り畳み状態をより容易に維持することができる。
【００５４】
（他の形態）
上記の第１の実施形態や第２の実施形態以外にも、本考案の折り畳みシートは様々な形態をとることが可能である。例えば、図１２及び１３に示すように、第２の実施形態とは異なり、シート部材３０の折り畳み状態において主挿入片８と補助挿入片９とが、重なり合わないように構成し、これらをスリット５に挿入する構成としてもよい。更に、スリットは一つであることに限定されず、図１４に示すように、主挿入片８用のスリット５Ａと補助挿入片９用のスリット５Ｂとを別々に設けるようにシート部材３０を構成してもよい。更に、上述のように、図１５に示すシート部材４０のようにスリット１１の両端にパンチホールを設けて引き裂けにくくしてもよい。
【００５５】
（シート部材の材料）
本考案におけるシート部材を構成する材質には特に限定はなく、例えば、紙やプラスティックフィルム等公知のシート状材料を適宜選定することができる。好ましいのは熱可塑性樹脂を用いた合成紙である。
【００５６】
本考案で用いる熱可塑性樹脂としては、例えば、高密度ポリエチレン、中密度ポリエチレン、低密度ポリエチレン、プロピレン系樹脂、ポリメチル−１−ペンテン、エチレン−環状オレフィン共重合体等のポリオレフィン系樹脂、エチレン・酢酸ビニル共重合体、エチレン・アクリル酸共重合体、マレイン酸変性ポリエチレン、マレイン酸変性ポリプロピレン等の官能基含有ポリオレフィン系樹脂、ナイロン−６、ナイロン−６，６等のポリアミド系樹脂、ポリエチレンテレフタレートやその共重合体、ポリブチレンテレフタレート、ポリブチレンサクシネート、ポリ乳酸、脂肪族ポリエステル等の熱可塑性ポリエステル系樹脂、ポリカーボネート、アタクティックポリスチレン、シンジオタクティックポリスチレン等を挙げることができる。これらの熱可塑性樹脂の中では、加工性に優れるポリオレフィン系樹脂、官能基含有ポリオレフィン系樹脂を用いることが好ましい。ポリオレフィン系樹脂のより具体的な例としては、エチレン、プロピレン、ブチレン、ブタジエン、イソプレン、クロロプレン、メチル−１−ペンテン、環状オレフィンなどのオレフィン類の単独重合体、および、これらオレフィン類２種類以上からなる共重合体が挙げられる。
【００５７】
官能基含有ポリオレフィン系樹脂のより具体的な例としては、前記オレフィン類と共重合可能な官能基含有モノマーとの共重合体があげられる。かかる官能基含有モノマーとしては、スチレン、αメチルスチレンなどのスチレン類、酢酸ビニル、ビニルアルコール、プロピオン酸ビニル、酪酸ビニル、ピバリン酸ビニル、カプロン酸ビニル、ラウリン酸ビニル、ステアリン酸ビニル、安息香酸ビニル、ブチル安息香酸ビニル、シクロヘキサンカルボン酸ビニルなどのカルボン酸ビニルエステル類、アクリル酸、メタクリル酸、メチル（メタ）アクリレート、エチル（メタ）アクリレート、ブチル（メタ）アクリレート、ヘキシル（メタ）アクリレート、オクチル（メタ）アクリレート、２−エチルヘキシル（メタ）アクリレート、ステアリル（メタ）アクリレート、ベンジル（メタ）アクリレート、シクロヘキシル（メタ）アクリレート、イソボニル（メタ）アクリレート、ジシクロペンタニル（メタ）アクリレート、（メタ）アクリルアミド、Ｎ−メタロール（メタ）アクリルアミドなどの（メタ）アクリル酸エステル類（（メタ）アクリル酸エステルは、アクリル酸エステルとメタクリル酸エステルを指す）、メチルビニルエーテル、エチルビニルエーテル、プロピルビニルエーテル、ブチルビニルエーテル、シクロペンチルビニルエーテル、シクロヘキシルビニルエーテル、ベンジルビニルエーテル、フェニルビニルエーテルなどのビニルエーテル類が特に代表的なものである。これら官能基含有モノマーの中から必要に応じ１種類もしくは２種類以上を適宜選択し重合したものを用いることができる。更にこれらポリオレフィン系樹脂および官能基含有ポリオレフィン系樹脂を必要によりグラフト変性して使用することも可能である。
【００５８】
グラフト変性には公知の手法を用いることができる。具体的な例としては、不飽和カルボン酸またはその誘導体によるグラフト変性を挙げることができる。該不飽和カルボン酸としては、例えばアクリル酸、メタクリル酸、マレイン酸、フマル酸、イタコン酸等を挙げることができる。また上記不飽和カルボン酸の誘導体としては、酸無水物、エステル、アミド、イミド、金属塩等も使用可能である。具体的には、無水マレイン酸、無水イタコン酸、無水シトラコン酸、アクリル酸メチル、アクリル酸エチル、メタクリル酸メチル、メタクリル酸エチル、アクリル酸ブチル、メタクリル酸ブチル、アクリル酸グリシジル、メタクリル酸グリシジル、マレイン酸モノエチルエステル、マレイン酸ジエチルエステル、フマル酸モノメチルエステル、フマル酸ジメチルエステル、イタコン酸モノメチルエステル、イタコン酸ジエチルエステル、アクリルアミド、メタクリルアミド、マレイン酸モノアミド、マレイン酸ジアミド、マレイン酸−Ｎ−モノエチルアミド、マレイン酸−Ｎ，Ｎ−ジエチルアミド、マレイン酸−Ｎ−モノブチルアミド、マレイン酸−Ｎ，Ｎ−ジブチルアミド、フマル酸モノアミド、フマル酸ジアミド、フマル酸−Ｎ−モノエチルアミド、フマル酸−Ｎ，Ｎ−ジエチルアミド、フマル酸−Ｎ−モノブチルアミド、フマル酸−Ｎ，Ｎ−ジブチルアミド、マレイミド、Ｎ−ブチルマレイミド、Ｎ−フェニルマレイミド、アクリル酸ナトリウム、メタクリル酸ナトリウム、アクリル酸カリウム、メタクリル酸カリウム等を挙げることができる。グラフト変性物はグラフトモノマーをポリオレフィン系樹脂および官能基含有ポリオレフィン系樹脂に対して一般に０．００５〜１０重量％、好ましくは０．０１〜５重量％グラフト変性したものが好ましい。
【００５９】
本考案では、上記の熱可塑性樹脂の中から１種を選択して単独で使用してもよいし、２種以上を選択して組み合わせて使用してもよい。更にこれらポリオレフィン系樹脂および官能基含有ポリオレフィン系樹脂の中でも、プロピレン系樹脂が、耐薬品性、コストの面などから好ましい。プロピレン系樹脂としては、プロピレン単独重合体でありアイソタクティックないしはシンジオタクティックおよび種々の程度の立体規則性を示すポリプロピレン、プロピレンを主成分とし、これと、エチレン、１−ブテン、１−ヘキセン、１−ヘプテン、４−メチル−１−ペンテン等のαオレフィンとを共重合させた共重合体を主成分として使用することが望ましい。この共重合体は、２元系でも３元系以上でもよく、またランダム共重合体でもブロック共重合体であってもよい。プロピレン系樹脂には、プロピレン単独重合体よりも融点が低い樹脂を２〜２５重量％配合して使用することが好ましい。そのような融点が低い樹脂として、高密度ないしは低密度のポリエチレンを例示することができる。
【００６０】
本考案では、熱可塑性樹脂以外に、必要に応じて無機微細粉末、有機フィラー、熱安定剤（酸化防止剤）、光安定剤、分散剤、滑剤などを添加することができる。無機微細粉末を添加する場合は、平均粒径が通常０．０１〜１５μｍ、好ましくは０．１〜５μｍのものを使用する。具体的には、炭酸カルシウム、焼成クレイ、シリカ、珪藻土、白土、タルク、酸化チタン、硫酸バリウム、アルミナ、ゼオライト、マイカ、セリサイト、ベントナイト、セピオライト、バーミキュライト、ドロマイト、ワラストナイト、ガラスファイバーなどを使用することができる。
【００６１】
有機フィラーを添加する場合は、主成分である熱可塑性樹脂とは異なる種類の樹脂を選択することが好ましい。例えば、熱可塑性樹脂フィルムがポリオレフィン系樹脂フィルムである場合には、有機フィラーとしては、ポリエチレンテレフタレート、ポリブチレンテレフタレート、ポリカーボネート、ナイロン−６、ナイロン−６，６、環状ポリオレフィン、ポリスチレン、ポリメタクリレート等の重合体であって、ポリオレフィン系樹脂の融点よりも高い融点（例えば１７０〜３００℃）ないしはガラス転移温度（例えば１７０〜２８０℃）を有し、かつ非相溶のものを使用することができる。
【００６２】
熱安定剤を添加する場合は、通常０．００１〜１重量％の範囲内で添加する。具体的には、立体障害フェノール系、リン系、アミン系等の安定剤などを使用することができる。光安定剤を使用する場合は、通常０．００１〜１重量％の範囲内で使用する。具体的には、立体障害アミンやベンゾトリアゾール系、ベンゾフェノン系の光安定剤などを使用することができる。分散剤や滑剤は、例えば無機微細粉末を分散させる目的で使用する。使用量は通常０．０１〜４重量％の範囲内にする。具体的には、シランカップリング剤、オレイン酸やステアリン酸等の高級脂肪酸、金属石鹸、ポリアクリル酸、ポリメタクリル酸ないしはそれらの塩等使用することができる。
【００６３】
本考案におけるシート部材は、２層構造、３層以上の多層構造を有するものであってもよい。多層化により筆記性、印刷適性、耐擦過性、２次加工適性等の様々な機能の付加が可能となる。この多層構造の延伸軸数は、例えば２層構造の場合は、無延伸／１軸、無延伸／２軸、１軸／１軸、１軸／２軸、２軸／１軸、２軸／２軸などとすることができる。
【００６４】
以上、各実施形態を用いて本考案の態様について説明したが、本考案の折り畳みシートは、上述の態様に限定されるものではない。また、図示は省略するが上述の第１及び第２の折り目は、単なる折り目のみならず、穿孔線であってもよい。更に、本考案の折り畳みシートは、提供時に各折り目を完全な折り目とせずに、各折り目に該当する部位に穿孔線を設けたり、折り目線をプリントした状態で、シート形状のままユーザーに提供したりしてもよい。
【符号の説明】
【００６５】
１                      第１の折り目
２ａ〜２ｅ              第２の折り目
３ａ〜３ｌ              領域
４，６，８              主挿入片
５、５Ａ，５Ｂ          スリット
７，９                  補助挿入片
１０，２０，３０，４０  シート部材
【図１】
0003178430.tif 000003
【図２】
0003178430.tif 000004
【図３】
0003178430.tif 000005
【図４】
0003178430.tif 000006
【図５】
0003178430.tif 000007
【図６】
0003178430.tif 000008
【図７】
0003178430.tif 000009
【図８】
0003178430.tif 000010
【図９】
0003178430.tif 000011
【図１０】
0003178430.tif 000012
【図１１】
0003178430.tif 000013
【図１２】
0003178430.tif 000014
【図１３】
0003178430.tif 000015
【図１４】
0003178430.tif 000016
【図１５】
0003178430.tif 000017